(57)【要約】  軽く、長寿命で、実効光度が高く、光度の切替が可能で、消費電力が小さく、かつ、耐衝撃性に優れた、新たなＬＥＤ閃光光源を提供する。  本発明の滑走路埋込型閃光装置用のＬＥＤ閃光光源（１０）は、ＬＥＤモジュール（１１）、板状取付板（１２）、レンズ部材（１３）、及び、衝撃吸収シートを含み、枠状取付板（１２）の枠内の中空部分にレンズ部材（１３）が取付けられ、レンズ部材（１３）は、ＬＥＤ（１１ｂ）から照射される閃光の照射面を均一な輝度分布にするレンズ部材（１３）であり、衝撃吸収シートは、下部衝撃吸収シート（１４ａ）、及び、上部衝撃吸収シート（１４ｂ）を含み、ＬＥＤモジュール（１１）の上に、下部衝撃吸収シート（１４ａ）が配置され、下部衝撃吸収シート（１４ａ）の上に、レンズ部材（１３）が取付けられた枠状取付板（１２）が配置され、枠状取付板（１２）の上に、上部衝撃吸収シート（１４ｂ）が配置されている。
2020084881.tif 000002
【特許請求の範囲】
【請求項１】
ＬＥＤモジュール、枠状取付板、レンズ部材、及び、衝撃吸収シートを含み、
前記枠状取付板の枠内の中空部分に前記レンズ部材が取付けられ、
前記レンズ部材は、ＬＥＤから照射される閃光の照射面を均一な輝度分布にするレンズ部材であり、
前記衝撃吸収シートは、下部衝撃吸収シート、及び、上部衝撃吸収シートを含み、
前記ＬＥＤモジュールの上に、前記下部衝撃吸収シートが配置され、
前記下部衝撃吸収シートの上に、前記レンズ部材が取付けられた前記枠状取付板が配置され、
前記枠状取付板の上に、前記上部衝撃吸収シートが配置されている
滑走路埋込型閃光装置用のＬＥＤ閃光光源。
【請求項２】
さらに、枠状押え板を含み、
前記上部衝撃吸収シートの上に、前記枠状押え板が配置され、
前記枠状押え板により、前記枠状取付板が、前記ＬＥＤモジュールに固定されている
請求項１記載の滑走路埋込型閃光装置用のＬＥＤ閃光光源。
【請求項３】
さらに、放熱部材を含み、
前記放熱部材が、前記ＬＥＤモジュールに取付けられている
請求項１又は２記載の滑走路埋込型閃光装置用のＬＥＤ閃光光源。
【請求項４】
前記放熱部材が、熱伝導部材を含む
請求項３記載の滑走路埋込型閃光装置用のＬＥＤ閃光光源。
【請求項５】
筒状本体、天井部材、導光部材、及び、ＬＥＤ閃光光源を含み、
前記筒状本体は、滑走路に埋込可能であり、
前記天井部材は、前記筒状本体が滑走路に埋め込まれた場合に、滑走路面に露出可能な状態で前記筒状本体の上部開口部に、配置され、
前記天井部材には、閃光照射用窓が設けられ、
前記導光部材は、前記閃光照射用窓に配置され、
前記ＬＥＤ閃光光源は、前記閃光照射用窓に配置された前記導光部材に向けて閃光照射可能な状態で、前記筒状本体内に配置され、
前記導光部材により、前記ＬＥＤ閃光光源から照射された閃光が、前記閃光照射用窓から外部に向けて照射可能であり、
前記ＬＥＤ閃光光源は、請求項１から４のいずれか一項に記載のＬＥＤ閃光光源である
滑走路埋込型閃光装置。
【請求項６】
前記天井部材は、上段天井部及び下段天井部を含み、
前記上段天井部は、前記閃光照射用窓の照射方向より後方側に配置され、
前記下段天井部は、前記閃光照射用窓の照射方向側に配置されている
請求項５記載の滑走路埋込型閃光装置。
【請求項７】
さらに、補強板部材を含み、
前記補強板部材は、前記下段天井部外面において、前記下段天井部外面の垂直方向に起立した状態で配置されている
請求項６記載の滑走路埋込型閃光装置。
【請求項８】
前記閃光照射用窓は、２個以上であり、それぞれの前記閃光照射用窓に前記導光部材が配置されている
請求項５から７のいずれか一項に記載の滑走路埋込型閃光装置。
【請求項９】
さらに、固定部材を含み、
前記固定部材は、前記天井部材の外周部に配置され、
前記固定部材に、前記滑走路に固定するためのネジを通すネジ穴が設けられている
請求項５から８のいずれか一項に記載の滑走路埋込型閃光装置。
【請求項１０】
さらに、底蓋部材を含み、
前記底蓋部材は、前記筒状本体の下部開口部を閉塞した状態で配置される
請求項５から９のいずれか一項に記載の滑走路埋込型閃光装置。
【発明の詳細な説明】
【技術分野】
【０００１】
本発明は、ＬＥＤ閃光光源及び滑走路埋込型閃光装置に関する。
【背景技術】
【０００２】
従来から、航空用の滑走路の案内標識として、標識光を照射する標識灯が路面下に埋設されている（例えば、特許文献１参照）。この路面下に埋設される埋込型標識灯には、閃光光源として、キセノンを封入した放電ランプが用いられることがある。
【先行技術文献】
【特許文献】
【０００３】
【特許文献１】特開２０００−２２８１０３号公報
【発明の概要】
【発明が解決しようとする課題】
【０００４】
しかしながら、キセノン閃光光源を用いた閃光装置は、重たく、短寿命で、実効光度が低く、高光度・中光度・低光度等の光度の切替ができず、消費電力が大きいという問題がある。また、滑走路埋込型閃光装置には、航空機着陸時の衝撃により、閃光光源が破損するおそれがある。【０００５】
そこで、本発明は、軽く、長寿命で、実効光度が高く、光度の切替が可能で、消費電力が小さく、かつ、耐衝撃性に優れた、新たな滑走路埋込型閃光装置用の閃光光源の提供を目的とする。
【課題を解決するための手段】
【０００６】
前記目的を達成するために、本発明の滑走路埋込型閃光装置用のＬＥＤ閃光光源は、
ＬＥＤモジュール、枠状取付板、レンズ部材、及び、衝撃吸収シートを含み、
前記枠状取付板の枠内の中空部分に前記レンズ部材が取付けられ、
前記レンズ部材は、ＬＥＤから照射される閃光の照射面を均一な輝度分布にするレンズ部材であり、
前記衝撃吸収シートは、下部衝撃吸収シート、及び、上部衝撃吸収シートを含み、
前記ＬＥＤモジュールの上に、前記下部衝撃吸収シートが配置され、
前記下部衝撃吸収シートの上に、前記レンズ部材が取付けられた前記枠状取付板が配置され、
前記枠状取付板の上に、前記上部衝撃吸収シートが配置されている
ことを特徴とする。
【発明の効果】
【０００７】
本発明の滑走路埋込型閃光装置用のＬＥＤ閃光光源は、軽く、長寿命で、実効光度が高く、光度の切替が可能で、消費電力が小さく、かつ、耐衝撃性に優れる。
【図面の簡単な説明】
【０００８】
【図１】図１（Ａ）は、実施形態１の滑走路埋込型閃光装置用のＬＥＤ閃光光源の一例を示す部分拡大斜視図であり、図１（Ｂ）は、図１（Ａ）に示すＬＥＤ閃光光源の模式側面図である。
【図２】図２は、実施形態２の滑走路埋込型閃光装置の一例の構成を示す分解斜視図である。
【図３】図３は、実施形態２の滑走路埋込型閃光装置における筒状本体及び天井部材の一例を示す上方向からの斜視図である。
【図４】図４は、実施形態２の滑走路埋込型閃光装置における筒状本体及び天井部材の一例を示す下方向からの斜視図である。
【図５】図５は、実施形態２の滑走路埋込型閃光装置における筒状本体、天井部材及び熱伝導部材の一例を示す下方向からの斜視図である。
【図６】図６は、実施形態３の滑走路埋込型閃光装置の一例の構成を示す分解斜視図である。
【図７】図７は、図６に示す滑走路埋込型閃光装置の下方向からの斜視図である。
【図８】図８は、実施形態３の滑走路埋込型閃光装置における底蓋部材の一例を示す側面図である。
【図９】図９は、実施形態４の滑走路の一例の構成を示す模式斜視図である。
【図１０】図１０は、実施形態２の滑走路埋込型閃光装置における閃光照射について説明する模式側面図である。
【図１１】図１１は、図１０に示す滑走路埋込型閃光装置の内部における導光部材及びＬＥＤ閃光光源の一例を示す側面図である。
【発明を実施するための形態】
【０００９】
つぎに、本発明の実施形態について、図１から図１１を用いて説明する。本発明は、下記の実施形態によって何ら限定及び制限されない。なお、図１から図１１において、同一部分には、同一符号を付している。各実施形態の説明は、それぞれ、互いを援用できる。また、図面においては、説明の便宜上、各部の構造は適宜簡略化して示す部分があり、各部の寸法比等は、実際とは異なり、模式的に示す場合がある。
【００１０】
［実施形態１］
図１（Ａ）は、本実施形態の滑走路埋込型閃光装置用のＬＥＤ閃光光源の一例の構成を示す部分拡大斜視図であり、図１（Ｂ）は、図１（Ａ）に示すＬＥＤ閃光光源の模式側面図である。なお、図１（Ｂ）においては、後述する枠状取付板１２、衝撃吸収シート、及び、枠状押え板１５の枠内の中空部分を、透視的に示している。図１（Ａ）及び（Ｂ）に示すように、ＬＥＤ閃光光源１０は、ＬＥＤモジュール１１、枠状取付板１２、レンズ部材１３、及び、衝撃吸収シートを含む。衝撃吸収シートの詳細については、後述する。
【００１１】
ＬＥＤモジュール１１は、例えば、図１（Ｂ）に示すように、基板１１ａ及びＬＥＤ１１ｂを含み、基板１１ａ上にＬＥＤ１１ｂが配置されている。
【００１２】
基板１１ａにおけるＬＥＤ１１ｂの搭載条件は、特に制限されず、目的の光学的特性に応じて適宜設定できる。図１（Ａ）及び（Ｂ）には、４×９＝３６個の行列が２つで７２個のＬＥＤ１１ｂが基板１１ａに搭載された例を示している。
【００１３】
ＬＥＤ１１ｂの形状は、特に制限されず、一般的に、正方形又は長方形である。ＬＥＤ１１ｂの大きさは、特に制限されず、正方形の場合、一辺の長さは、例えば、１．８〜２．２ｍｍ、３〜３．５ｍｍ、４〜５．３ｍｍであり、長方形の場合、短辺の長さは、例えば、前記正方形の長さと同様であり、短辺と長辺との比は、例えば、１：１〜３である。基板１１ａのＬＥＤ１１ｂの搭載面において、隣り合うＬＥＤとＬＥＤとの間の幅は、例えば、０．２〜０．５ｍｍである。
【００１４】
本実施形態のＬＥＤ閃光光源１０では、枠状取付板１２の枠内の中空部分にレンズ部材１３が取付けられる。枠状取付板１２の材質としては、例えば、ステンレス、アルミニウム、チタン等があげられる。枠状取付板１２の厚みは、例えば、０．２〜２ｍｍ、０．３ｍｍである。
【００１５】
レンズ部材１３は、ＬＥＤ１１ｂから照射される閃光の照射面を均一な照度分布とするレンズ部材である。レンズ部材１３としては、例えば、フライアイレンズ、インテグレータレンズ等があげられる。例えば、図１（Ｂ）に示すように、レンズ部材１３が大きくなりすぎないように２個又はそれ以上に分けることで、レンズ部材１３への負荷をより軽減し、破損を防止し得る。レンズ部材１３は、照射された閃光の取り出しにロスが生じないよう、小さくしすぎないことが好ましい。
【００１６】
前記衝撃吸収シートは、下部衝撃吸収シート１４ａ、及び、上部衝撃吸収シート１４ｂを含み、ＬＥＤモジュール１１の上に、下部衝撃吸収シート１４ａが配置され、下部衝撃吸収シート１４ａの上に、レンズ部材１３が取付けられた枠状取付板１２が配置され、枠状取付板１２の上に、上部衝撃吸収シート１４ｂが配置されている。下部衝撃吸収シート１４ａ、及び、上部衝撃吸収シート１４ｂは、例えば、それぞれ、枠状であり、下部衝撃吸収シート１４ａの厚みは、例えば、０．２〜３ｍｍ、上部衝撃吸収シート１４ｂの厚みは、例えば、０．２〜３ｍｍｍｍである。下部衝撃吸収シート１４ａ、及び、上部衝撃吸収シート１４ｂとしては、一般的なものを使用すればよい。本実施形態のＬＥＤ閃光光源１０によれば、レンズ部材１３が取付けられた枠状取付板１２の上側及び下側に、それぞれ、衝撃吸収シートが配置されていることで、航空機のタイヤで踏まれた衝撃による枠状取付板１２の振動を抑制し、その結果、レンズ部材１３の飛び出し等による破損を防止できる。このように、本実施形態のＬＥＤ閃光光源１０は、耐衝撃性に優れる。
【００１７】
例えば、図１（Ａ）及び（Ｂ）に示すように、本実施形態のＬＥＤ閃光光源１０は、さらに、枠状押え板１５を含み、上部衝撃吸収シート１４ｂの上に、枠状押え板１５が配置され、枠状押え板１５により、枠状取付板１２が、ＬＥＤモジュール１１に固定されていてもよい。枠状押え板１５の材質としては、例えば、ステンレス、アルミニウム、チタン等があげられる。枠状押え板１５の厚みは、例えば、０．２〜３ｍｍ、０．８ｍｍである。枠状押え板１５は、例えば、ネジを用いて、ＬＥＤモジュール１１に固定される。
【００１８】
本実施形態のＬＥＤ閃光光源１０は、さらに、放熱部材を含んでもよい。放熱部材の詳細は、実施形態２で後述する。
【００１９】
本実施形態のＬＥＤ閃光光源１０は、滑走路埋込型閃光装置用のキセノン閃光光源よりも軽量である。このように、本実施形態によれば、軽い滑走路埋込型閃光装置用の閃光光源を提供可能である。
【００２０】
滑走路埋込型閃光装置用のキセノン閃光光源の寿命が、５００時間程度であるのに対し、本実施形態の滑走路埋込型閃光装置用のＬＥＤ閃光光源１０は、例えば、無期限に利用可能である。このように、本実施形態によれば、長寿命な滑走路埋込型閃光装置用の閃光光源を提供可能である。
【００２１】
滑走路埋込型閃光装置用のキセノン閃光光源の実効光度が、１０００ｃｄ以上、具体的には１２００ｃｄ程度であるのに対し、本実施形態の滑走路埋込型閃光装置用のＬＥＤ閃光光源１０の実効光度は、例えば、６０００ｃｄ以上、具体的には７０００ｃｄ程度である。このように、本実施形態によれば、実効光度の高い滑走路埋込型閃光装置用の閃光光源を提供可能である。
【００２２】
滑走路埋込型閃光装置用のキセノン閃光光源では、高光度・中光度・低光度等の光度の切替ができないのに対し、本実施形態の滑走路埋込型閃光装置用のＬＥＤ閃光光源１０は、前述のように実効光度が高いため、例えば、高光度（例えば、６０００ｃｄ以上）、中光度（例えば、１０００ｃｄ以上）、低光度（例えば、２５０ｃｄ以上）等の光度の切替が可能である。このように、本実施形態によれば、光度の切替が可能な滑走路埋込型閃光装置用の閃光光源を提供可能である。前記高光度は、例えば、霧、雨等で視界不良の昼間に、前記低光度は、例えば、夜間に、前記中光度は、例えば、夕方等に用いられる。
【００２３】
キセノン閃光光源を用いた閃光装置の消費電力が、５００Ｗ程度であるのに対し、本実施形態の滑走路埋込型閃光装置用のＬＥＤ閃光光源１０の消費電力は、例えば、８０Ｗ（高光度時で最大１１４Ｗ、中光度時で３１Ｗ、低光度時で２４Ｗ）程度である。このように、本実施形態によれば、消費電力の小さい滑走路埋込型閃光装置用の閃光光源を提供可能である。
【００２４】
［実施形態２］
図２は、本実施形態の滑走路埋込型閃光装置の一例の構成を示す分解斜視図である。図２に示すように、滑走路埋込型閃光装置２０は、筒状本体２１、天井部材２２、導光部材２３、及び、ＬＥＤ閃光光源１０を含む。
【００２５】
筒状本体２１は、実施形態４において図９を用いて後述するように、滑走路３０に埋込可能である。筒状本体２１は、例えば、図２に示すように、円筒であってもよいし、楕円筒、角筒等の円筒以外の筒状であってもよい。
【００２６】
天井部材２２は、筒状本体２１が滑走路３０に埋め込まれた場合に、滑走路面に露出可能な状態で筒状本体２１の上部開口部に、配置される。
【００２７】
筒状本体２１及び天井部材２２は、図２に示すように、別個独立の部材であってもよいし、図３に示すように、一体成型品であってもよい。前記一体成型品は、例えば、アルミニウムの鋳物、チタンの鋳物、アルミニウム合金の鋳物、チタン合金の鋳物等があげられ、軽量であることから、アルミニウムの鋳物、チタンの鋳物が好ましく、安価であることから、アルミニウムの鋳物が特に好ましい。筒状本体２１及び天井部材２２が別部材である場合も、筒状本体２１及び天井部材２２としては、前記一体成型品である場合と同様に、例えば、アルミニウムの鋳物、チタンの鋳物、アルミニウム合金の鋳物、チタン合金の鋳物等があげられる。
【００２８】
天井部材２２には、閃光照射用窓が設けられ、導光部材２３は、前記閃光照射用窓に配置されている。本実施形態の滑走路埋込型閃光装置２０において、例えば、前記閃光照射用窓は、２個以上であり、それぞれの前記閃光照射用窓に導光部材２３が配置されていてもよい。導光部材２３を２個以上とすれば、導光部材２３への負荷をより軽減し、破損を防止し得る。前記閃光照射用窓及び導光部材２３は、例えば、図２に示すように、後述の補強板部材２４によって、２個以上に分割されていてもよい。導光部材２３としては、例えば、プリズムレンズ等があげられる。前記プリズムレンズの材質は、特に制限されないが、例えば、ガラス等である。
【００２９】
天井部材２２は、例えば、上段天井部２２ａ及び下段天井部２２ｂを含み、上段天井部２２ａが、前記閃光照射用窓の照射方向より後方側に配置され、下段天井部２２ｂが、前記閃光照射用窓の照射方向側に配置された段差構造となっていてもよい。
【００３０】
本実施形態の滑走路埋込型閃光装置２０は、例えば、さらに、補強板部材２４を含み、補強板部材２４は、下段天井部２２ｂ外面において、下段天井部２２ｂ外面の垂直方向に起立した状態で配置されていてもよい。天井部材２２及び補強板部材２４は、例えば、別個独立の部材であってもよいし、一体成型品であってもよい。天井部材２２及び補強板部材２４が別部材である場合、補強板部材２４としては、前記一体成型品である場合と同様に、例えば、アルミニウムの鋳物、チタンの鋳物、アルミニウム合金の鋳物、チタン合金の鋳物等があげられる。
【００３１】
本実施形態の滑走路埋込型閃光装置２０は、例えば、さらに、固定部材２５を含み、固定部材２５は、天井部材２２の外周側に配置され、固定部材２５には、滑走路３０に固定するためのネジを通すネジ穴が設けられていてもよい。固定部材２５は、例えば、外周側に向かって厚みが薄くなるように外面が傾斜したテーパ―状であってもよい。天井部材２２及び固定部材２５は、例えば、別個独立の部材であってもよいし、一体成型品であってもよい。天井部材２２及び固定部材２５が別部材である場合、固定部材２５としては、前記一体成型品である場合と同様に、例えば、アルミニウムの鋳物、チタンの鋳物、アルミニウム合金の鋳物、チタン合金の鋳物等があげられる。天井部材２２及び固定部材２５の少なくとも一方は、例えば、工具により滑走路埋込型閃光装置２０を引き上げるための穴を有してもよい。
【００３２】
ＬＥＤ閃光光源１０は、前記閃光照射用窓に配置された導光部材２３に向けて閃光照射可能な状態で、筒状本体２１内に配置される。図４に、筒状本体２１及び天井部材２２の一例の下方向からの斜視図を示す。例えば、図４に示すように、天井本体２２の内面（筒状本体２１側の面）には、前記閃光照射用窓の下部部分に、ＬＥＤ閃光光源１０の配置部分が設けられていてもよい。導光部材２３により、ＬＥＤ閃光光源１０から照射された閃光が、前記閃光照射用窓から外部に向けて照射可能である。
【００３３】
ＬＥＤ閃光光源１０は、実施形態１のＬＥＤ閃光光源１０である。
【００３４】
ＬＥＤ閃光光源１０は、例えば、さらに、図２に示すように、放熱部材１７を含み、放熱部材１７が、ＬＥＤモジュール１１に取付けられていてもよい。
【００３５】
例えば、放熱部材１７は、筒状本体２１内に配置され、放熱部材１７の一部分は、ＬＥＤモジュール１１と接触し、放熱部材１７のその他部分の少なくとも一部が、天井部材２２に接触している。これにより、ＬＥＤモジュール１１が発した熱を、放熱部材１７を介して天井部材２２へと伝え、装置２０外部へと放熱することが可能である。本実施形態の滑走路埋込型閃光装置２０によれば、装置２０内部で放熱するよりも、放熱性に優れる。
【００３６】
放熱部材１７の一部分は、例えば、図２に示すように、基板１１ａのＬＥＤ１１ｂ搭載側と反対側の面に接触している。放熱部材１７のその他部分は、その少なくとも一部が、天井部材２２と接触していればよく、天井部材２２のどの部分に接触していてもよい。例えば、図２に示すように、放熱部材１７のその他部分の少なくとも一部が、天井部材２２において、前記閃光照射用窓よりも閃光照射側に接触していてもよい。この態様においては、例えば、放熱部材１７のその他部分の少なくとも一部は、下段天井部２２ｂに接触していてもよい。図２に例示する態様であれば、ＬＥＤモジュール１１が発した熱を、放熱部材１７を介して前記閃光照射用窓よりも閃光照射側に伝えることができ、例えば、寒冷地の航空用滑走路において、閃光照射を遮る積もった雪を解かすことができる。例えば、図４に示すように、天井部材２２の内面（筒状本体２１側の面）には、前述のＬＥＤ閃光光源１０の配置部分の一部として、放熱部材１７の配置部分が設けられていてもよい。
【００３７】
放熱部材１７は、例えば、熱伝導部材を含んでもよい。前記熱伝導部材としては、例えば、板状ヒートシンク、ヒートパイプ等があげられ、自作してもよいし、市販品を用いてもよい。前記板状ヒートシンクの材質としては、例えば、銅、アルミニウム等があげられる。前記ヒートパイプの材質は、特に制限されず、公知の熱伝導素材があげられ、具体例として、金属等があげられる。前記金属は、例えば、アルミニウム及びその合金、マグネシウム及びその合金、鉄及びその合金、銅及びその合金、チタン及びその合金、モリブデン及びその合金、タングステン及びその合金等があげられる。図５は、本実施形態の滑走路埋込型閃光装置における筒状本体、天井部材及び熱伝導部材の一例を示す下方向からの斜視図である。前記熱伝導部材は、例えば、板状ヒートシンク１７ａ及びヒートパイプ１７ｂを含み、板状ヒートシンク１７ａの一面の一部分が、ＬＥＤモジュール１１と接触し、板状ヒートシンク１７ａの一面のその他部分の少なくとも一部が、下段天井部２２ｂと接触し、ヒートパイプ１７ｂは、その一端側がＬＥＤモジュール１１側に位置し、かつ、その他端側が下段天井部２２ｂ側に位置する状態で、板状ヒートシンク１７ａに取付けられていてもよい。なお、図５には、ヒートパイプ１７ｂが、板状ヒートシンク１７ａの他面（ＬＥＤモジュール１１と接触する面（一面）と反対側の面）に取付けられている例を示したが、ヒートパイプ１７ｂは、板状ヒートシンク１７ａの一面に取付けられていてもよく、板状ヒートシンク１７ａの他面及び一面の双方に取付けられていてもよい。図５に示す態様において、ヒートパイプ１７ｂは、例えば、板状ヒートシンク１７ａを厚み方向に切欠いて、埋め込むようにして、ハンダ付け等により配置してもよい。
【００３８】
ヒートパイプ１７ｂは、例えば、図５に示すように、照射方向（矢印Ｘ方向）に対し垂直方向に延びる第１の直線部と、照射方向に延びる第２の直線部を有し、前記第１の直線部と前記第２の直線部が結合して全体形状がＬ字状となっており、前記一端側が前記第１の直線部を含み、前記他端側が前記第２の直線部を含んでもよい。
【００３９】
図５では、放熱部材１７が、熱伝導部材である例を示しているが、基板１１ａのＬＥＤ１１ｂ搭載面と反対側の面に配置された放熱フィンや、基板１１ａに向けて風を送るファン等を用いて放熱することも可能である。
【００４０】
本実施形態の滑走路埋込型閃光装置２０からは、例えば、図１０に示すように、滑走路面と平行方向に対する角度αが３°程度の上向きの閃光が照射されることが好ましい。なお、図１０に示す滑走路埋込型閃光装置２０内部における導光部材２３及びＬＥＤ閃光光源１０を例示すると、図１１のようになる。なお、図１１においては、図１（Ｂ）と同様に、下部衝撃吸収シート１４ａ、枠状取付板１２、上部衝撃吸収シート１４ｂ、及び、枠状押え板１５の枠内の中空部分を、透視的に示している。
【００４１】
キセノン閃光光源を用いた閃光装置の重量が、６５ｋｇ以下、具体的には４０ｋｇ程度であるのに対し、本実施形態の滑走路埋込型閃光装置２０の重量は、例えば、１８ｋｇ以下、具体的には１１ｋｇ程度である。このように、本実施形態によれば、軽い滑走路埋込型閃光装置を提供可能である。
【００４２】
［実施形態３］
図６は、本実施形態の滑走路埋込型閃光装置の一例の構成を示す分解斜視図であり、図７は、図６に示す滑走路埋込型閃光装置の下方向からの斜視図である。図６及び図７に示すように、本実施形態の滑走路埋込型閃光装置２０は、さらに、底蓋部材２６を含むこと以外、実施形態２の滑走路埋込型閃光装置と同様である。
【００４３】
底蓋部材２６は、筒状本体２１の下部開口部を閉塞した状態で配置される。底蓋部材２６の材質としては、例えば、アルミニウム、チタン、アルミニウム合金、チタン合金又はそれらの鋳物等があげられる。
【００４４】
図８に、底蓋部材２６の一例の側面図を示す。例えば、図８に示すように、底蓋部材２６は、ケーブルグランド２６ａ及び外部アース端子２６ｂを含んでもよい。また、底蓋部材２６を、例えば、ネジ２６ｃ及びＯリング（図示省略）で筒状本体２１及びＬＥＤ閃光光源１０の少なくとも一方に取り付ければ、滑走路埋込型閃光装置２０を防水構造にできる。
【００４５】
［実施形態４］
図９は、本実施形態の滑走路の一例の構成を示す模式斜視図である。図９では、模式的に簡略化して示しているが、滑走路３０は、実施形態２又は３の滑走路埋込型閃光装置２０が、天井部材２２を露出した状態で埋め込まれたものである。
【００４６】
以上、実施形態を参照して本願発明を説明したが、本願発明は、上記実施形態に限定されるものではない。本願発明の構成や詳細には、本願発明のスコープ内で当業者が理解し得る様々な変更をすることができる。
【００４７】
上記の実施形態の一部又は全部は、以下の付記のようにも記載しうるが、以下には限られない。
（付記１）
ＬＥＤモジュール、枠状取付板、レンズ部材、及び、衝撃吸収シートを含み、
前記枠状取付板の枠内の中空部分に前記レンズ部材が取付けられ、
前記レンズ部材は、ＬＥＤから照射される閃光の照射面を均一な輝度分布にするレンズ部材であり、
前記衝撃吸収シートは、下部衝撃吸収シート、及び、上部衝撃吸収シートを含み、
前記ＬＥＤモジュールの上に、前記下部衝撃吸収シートが配置され、
前記下部衝撃吸収シートの上に、前記レンズ部材が取付けられた前記枠状取付板が配置され、
前記枠状取付板の上に、前記上部衝撃吸収シートが配置されている
滑走路埋込型閃光装置用のＬＥＤ閃光光源。
（付記２）
さらに、枠状押え板を含み、
前記上部衝撃吸収シートの上に、前記枠状押え板が配置され、
前記枠状押え板により、前記枠状取付板が、前記ＬＥＤモジュールに固定されている
付記１記載の滑走路埋込型閃光装置用のＬＥＤ閃光光源。
（付記３）
さらに、放熱部材を含み、
前記放熱部材が、前記ＬＥＤモジュールに取付けられている
付記１又は２記載の滑走路埋込型閃光装置用のＬＥＤ閃光光源。
（付記４）
前記放熱部材が、熱伝導部材を含む
付記３記載の滑走路埋込型閃光装置用のＬＥＤ閃光光源。
（付記５）
前記熱伝導部材は、板状ヒートシンク及びヒートパイプの少なくとも一方を含む
付記４記載の滑走路埋込型閃光装置用のＬＥＤ閃光光源。
（付記６）
筒状本体、天井部材、導光部材、及び、ＬＥＤ閃光光源を含み、
前記筒状本体は、滑走路に埋込可能であり、
前記天井部材は、前記筒状本体が滑走路に埋め込まれた場合に、滑走路面に露出可能な状態で前記筒状本体の上部開口部に、配置され、
前記天井部材には、閃光照射用窓が設けられ、
前記導光部材は、前記閃光照射用窓に配置され、
前記ＬＥＤ閃光光源は、前記閃光照射用窓に配置された前記導光部材に向けて閃光照射可能な状態で、前記筒状本体内に配置され、
前記導光部材により、前記ＬＥＤ閃光光源から照射された閃光が、前記閃光照射用窓から外部に向けて照射可能であり、
前記ＬＥＤ閃光光源は、付記１から５のいずれかに記載のＬＥＤ閃光光源である
滑走路埋込型閃光装置。
（付記７）
前記天井部材は、上段天井部及び下段天井部を含み、
前記上段天井部は、前記閃光照射用窓の照射方向より後方側に配置され、
前記下段天井部は、前記閃光照射用窓の照射方向側に配置されている
付記６記載の滑走路埋込型閃光装置。
（付記８）
さらに、補強板部材を含み、
前記補強板部材は、前記下段天井部外面において、前記下段天井部外面の垂直方向に起立した状態で配置されている
付記７記載の滑走路埋込型閃光装置。
（付記９）
前記閃光照射用窓は、２個以上であり、それぞれの前記閃光照射用窓に前記導光部材が配置されている
付記６から８のいずれかに記載の滑走路埋込型閃光装置。
（付記１０）
さらに、固定部材を含み、
前記固定部材は、前記天井部材の外周部に配置され、
前記固定部材に、前記滑走路に固定するためのネジを通すネジ穴が設けられている
付記６から９のいずれかに記載の滑走路埋込型閃光装置。
（付記１１）
前記天井部材及び前記固定部材は、一体成型品である
付記１０記載の滑走路埋込型閃光装置。
（付記１２）
さらに、底蓋部材を含み、
前記底蓋部材は、前記筒状本体の下部開口部を閉塞した状態で配置される
付記６から１１のいずれかに記載の滑走路埋込型閃光装置。
（付記１３）
前記底蓋部材は、ケーブルグランド及び外部アース端子を含む
付記１２記載の滑走路埋込型閃光装置。
（付記１４）
前記筒状本体及び前記天井部材は、一体成型品である
付記６から１３のいずれかに記載の滑走路埋込型閃光装置。
（付記１５）
付記６から１４のいずれかに記載の滑走路埋込型閃光装置が埋め込まれた滑走路。
【００４８】
この出願は、２０１８年１０月２６日に出願された日本出願特願２０１８−２０１４０１を基礎とする優先権を主張し、その開示の全てをここに取り込む。
【産業上の利用可能性】
【００４９】
本発明によれば、軽く、長寿命で、実効光度が高く、光度の切替が可能で、消費電力が小さく、かつ、耐衝撃性に優れた、新たな滑走路埋込型閃光装置用のＬＥＤ閃光光源を提供可能である。
【符号の説明】
【００５０】
１０    ＬＥＤ閃光光源
１１    ＬＥＤモジュール
１１ａ  基板
１１ｂ  ＬＥＤ
１２    枠状取付板
１３    レンズ部材
１４ａ  下部衝撃吸収シート
１４ｂ  上部衝撃吸収シート
１５    枠状押え板
１７    放熱部材
１７ａ  板状ヒートシンク
１７ｂ  ヒートパイプ
２０    滑走路埋込型閃光装置
２１    筒状本体
２２    天井部材
２２ａ  上段天井部
２２ｂ  下段天井部
２３    導光部材
２４    補強板部材
２５    固定部材
２６    底蓋部材
２６ａ  ケーブルグランド
２６ｂ  外部アース端子
２６ｃ  ネジ
３０    滑走路
【図１】
2020084881.tif 000003
【図２】
2020084881.tif 000004
【図３】
2020084881.tif 000005
【図４】
2020084881.tif 000006
【図５】
2020084881.tif 000007
【図６】
2020084881.tif 000008
【図７】
2020084881.tif 000009
【図８】
2020084881.tif 000010
【図９】
2020084881.tif 000011
【図１０】
2020084881.tif 000012
【図１１】
2020084881.tif 000013
【国際調査報告】
2020084881.tif 000014
2020084881.tif 000015
2020084881.tif 000016
2020084881.tif 000017